(57)【特許請求の範囲】
【請求項１】
与えられた入力信号の信号レベルを制御する記録レベルを設定し、前記信号レベルが制御された入力信号をデジタル信号として記録媒体に記録する記録部、
前記記録部が前記入力信号を前記記録媒体に記録する際の記録レベルを徐々に変化させるフェード処理を開始させるフェード処理開始判定手段、
前記フェード処理を開始し、前記フェード処理において、前記フェード処理の終了時に前記記録レベルが実質的に０または目標記録レベルとなるように前記記録レベルを制御し、かつ、前記フェード処理の開始時における前記記録レベルの大小にかかわらず前記フェード処理の開始から前記フェード処理の終了までのフェード処理時間が実質的に等しくなるように前記記録レベルを制御するレベル制御手段、
を備えたデジタル記録装置。
【請求項２】
請求項１にかかるデジタル記録装置において、
前記レベル制御手段は、
前記フェード処理としてフェードアウト処理を行うこと、
を特徴とするデジタル記録装置。
【請求項３】
請求項２にかかるデジタル記録装置において、さらに、
前記記録媒体に記録可能な残時間を取得する記録可能残時間取得手段、
を備え、
前記フェード処理開始判定手段は、
前記記録可能残時間取得手段によって取得された前記残時間が、予め設定されたフェードアウト設定時間になったか否かを判断し、前記残時間が前記フェードアウト設定時間になったと判断すると、前記フェードアウト処理を開始させること、
を特徴とするデジタル記録装置。
【請求項４】
請求項２にかかるデジタル記録装置において、さらに、
ユーザーからの指示を取得するための指示取得手段、
を備え、
前記フェード処理開始判定手段は、
前記指示取得手段がユーザーからのフェードアウト開始指示を取得すると、前記フェードアウト処理を開始させること、
を特徴とするデジタル記録装置。
【請求項５】
請求項１にかかるデジタル記録装置において、
前記レベル制御手段は、
前記フェード処理としてフェードイン処理を行うこと、
を特徴とするデジタル記録装置。
【請求項６】
請求項５にかかるデジタル記録装置において、
前記フェード処理開始判定手段は、
前記入力信号がデジタル信号として前記記録媒体に記録され始めると、前記フェードイン処理を開始させること、
を特徴とするデジタル記録装置。
【発明の詳細な説明】
【０００１】
【発明の属する技術分野】
本発明は、デジタル記録装置に関し、特に、フェード処理開始時の録音レベルの大小にかかわらずフェード処理時間を実質的に等しくするものに関する。
【０００２】
【従来の技術】
従来のフェードアウト処理を行う記録装置としては、フェードアウト処理機能付きカセットデッキがある。このカセットデッキが施すフェードアウト処理を以下において説明する。ここで、ＣＤからカセットテープに録音する場合を考える。ＣＤからカセットテープに録音する場合、ＣＤの記録時間とカセットテープの記録時間とが一致することほとんどない。したがって、カセットテープの最後の部分（Α面の最後やＢ面の最後）では、楽曲の途中で録音が途切れてしまうことがある。このように録音において途中で途切れてしまった楽曲は、再生時においても楽曲の演奏が突然中断してしまうので非常に聞きづらいものとなる。
【０００３】
カセットデッキにおけるフェードアウト処理は、一般に時定数回路を用いて行われている。図１４に、フェードアウト処理時の録音レベルの時間的変化（録音ボリュームカーブ）を示す。図において、縦軸は録音レベル、横軸は時間である。図に示すように、フェードアウト処理開始から、録音レベルが減少して「０」に収束する。この際、時定数回路の特性から、録音ボリュームカーブＶＣ１００は、下に凸となった形状となる。
【０００４】
【発明が解決しようとする課題】
しかしながら、上のような従来の記録再生装置には、次のような問題点があった。図１４に示すように、フェードアウト処理開始時の録音レベルによって、録音レベルが「０」になるまでの時間ｔ４０、ｔ４５、ｔ５０、ｔｍａｘが異なる。つまり、録音レベルが「０」になるまでの時間が一定していない。このため、テープへの録音可能な残時間に基づき、テープの終わり付近において自動的にフェードアウト処理を行う装置においては、最大録音レベルにおける処理時間ｔｍａｘを基準として、フェードアウト処理を開始していた。よって、録音レベルが小さい場合には、テープ等の記録媒体が残っているにもかかわらず、録音レベルが「０」となってしまい、記録媒体の記録容量を無駄にするおそれがあった。
【０００５】
そこで、この発明は、録音レベルにかかわらず、フェード処理に要する時間にばらつきをなくしたデジタル記録装置を提供することを目的とする。
【課題を解決するための手段および発明の効果】
この発明にかかるデジタル記録装置およびデジタル記録方法では、前記記録部が前記入力信号を前記記録媒体に記録する際の記録レベルを徐々に変化させるフェード処理を開始させ、前記フェード処理を開始し、前記フェード処理において、前記フェード処理の終了時に前記記録レベルが実質的に０または目標記録レベルとなるように前記記録レベルを制御し、かつ、前記フェード処理の開始時における前記記録レベルの大小にかかわらず前記フェード処理の開始から前記フェード処理の終了までのフェード処理時間が実質的に等しくなるように前記記録レベルを制御しながら与えられた入力信号の信号レベルを制御する記録レベルを設定し、前記信号レベルが制御された入力信号をデジタル信号として記録媒体に記録する。これにより、フェード処理に要する時間にばらつきを無くすことができる。したがって、フェード処理を行いながら記録媒体に記録する場合、記録媒体の記録領域を有効活用することができる。
【０００６】
この発明にかかるデジタル記録装置では、レベル制御手段は、フェード処理としてフェードアウト処理を行う。これにより、フェードアウト処理開始時の録音レベルの大小にかかわらず、フェードアウト処理に要するフェード処理時間を実質的に等しくすることができる。
【０００７】
この発明かかるデジタル記憶装置では、フェード処理開始判定手段は、前記記録可能残時間取得手段によって取得された前記残時間が、予め設定されたフェードアウト設定時間になったか否かを判断し、前記残時間が前記フェードアウト設定時間になったと判断すると、前記フェード処理を開始させる。これにより、記録媒体の記録可能残時間が０となるときにフェードアウト処理を終了させることができる。したがって、記録媒体の記録容量を無駄なく利用することができる。
【０００８】
この発明にかかるデジタル記録装置では、フェード処理開始判定手段は、曲残時間取得手段によって取得された曲残時間が、予め設定されたフェードアウト設定時間になったか否かを判断し、曲残時間がフェードアウト設定時間になると、前記フェードアウト処理を開始させる。これにより、曲残時間が０となるときにフェードアウト処理を終了させることができる。
【０００９】
この発明にかかるデジタル記録装置では、フェード処理開始判定手段は、前記指示取得手段がユーザーからのフェードアウト開始指示を取得すると、前記フェードアウト処理を開始させる。これにより、ユーザーは入力信号の所望の場所からフェードアウト処理を開始させることができる。
【００１０】
この発明にかかるデジタル記録装置では、レベル制御手段は、フェード処理としてフェードイン処理を行う。これにより、フェードイン処理開始時の記録レベルの大小にかかわらず、フェードイン処理に要するフェード処理時間を実質的に等しくすることができる。
【００１１】
この発明にかかるデジタル記録装置では、フェード処理開始判定手段は、前記入力信号がデジタル信号として前記記録媒体に記録され始めると、前記フェードイン処理を開始させる。これにより、記録媒体への記録が開始されると、自動的にフェードイン処理を行うことができる。
【００１２】
この発明にかかるデジタル記録装置では、フェード処理開始判定手段は、曲先頭位置取得手段が取得する曲の先頭位置の記録が開始されると、前記フェードイン処理を開始させる。これにより、曲の先頭にフェードイン処理を自動的に施すことができる。
【００１３】
この発明にかかるデジタル記録装置では、フェード処理開始判定手段は、指示取得手段がユーザーからのフェードイン開始指示を取得すると、前記フェードイン処理を開始させる。これにより、ユーザーは入力信号の所望の場所からフェードイン処理を開始させることができる。
【００１４】
この発明にかかるデジタル記録装置では、レベル制御手段は、フェード処理開始時からフェード処理終了時までのフェード処理時間を複数のステップに分割し、各ステップにおいて所定値の記録レベルのレベル変化を行うものであって、フェード処理開始時の記録レベルの大小に応じて、各ステップの時間長を変化させることによってフェード処理時間を実質的に一定に保つ。これにより、聴感上、自然なフェード処理を施すことができる。
【００１５】
この発明にかかるデジタル記録装置では、レベル制御手段は、フェード時間を複数のステップに分割し、各ステップにおいて記録レベルのレベル変化を行うものであって、フェード処理開始時のレベルの大小に応じて、各ステップの記録レベルのレベル変化値を変化させることによってフェード処理時間を実質的に一定に保つ。これにより、フェード処理に要する計算を容易に行うことができる。
【００１６】
この発明にかかるデジタル記録装置では、レベル制御手段は、横軸に時間、縦軸にゲインをとったフェード処理曲線が、直線となるように記録レベルを制御する。これにより、聴感上、自然なフェード処理を施すことができる。
【００１７】
この発明にかかるデジタル記録装置では、ピーク情報取得手段は、記録元記録媒体に記録された入力信号のピーク情報を取得する。記録レベル設定手段は、それに基づいて記録部における記録レベルを設定する。これにより、入力信号の大小にかかわらず、記録レベルを揃えることができる。
【００１８】
この発明にかかるデジタル記録再生装置では、開始マーク記録制御手段は、所定のタイミングにて再生時におけるフェード処理の開始位置を示す開始マークを記録媒体に記録するよう制御する。フェード処理開始判定手段は、記録媒体に記録された前記開始マークを取得して、フェード処理を開始する。レベル制御手段は、フェード処理開始判定手段の判定に基づいて、再生部による記録媒体からの再生レベルを徐々に変化させる制御を開始する。
【００１９】
これにより、入力信号にフェード処理を施しながら、その入力信号を記録媒体に記録せずとも、記録媒体の再生時にフェード処理が施された信号を再生することができる。
【００２０】
なお、フェード処理開始判定手段は、図３におけるフローチャートのステップＳ３０７およびステップＳ３０９、図９におけるフローチャートのステップＳ７０９に対応する。また、レベル制御手段は、ステップＳ３１１およびステップＳ３１３に対応する。さらに、指示取得手段は、図９におけるフローチャートのステップＳ７０７に対応する。
【００２１】
「記録媒体」とは、ある情報を記録したＲＯＭ、ＲΑＭ、フレキシブルディスク、ＣＤ−ＲＯＭ、メモリカード、ハードディスク等の記録媒体をいう。ＣＤ−ＲＯＭやメモリ等のような形態で記録を行うものだけでなく、通信回線、搬送波等のように、その状態を変化させながら記録内容を伝達するようなものも含む概念である。実施形態においては、ＭＤがこれに該当する。
【００２２】
「記録元媒体」とは、ある情報を記録したＣＤ、ＲＯＭ、ＲΑＭ、フレキシブルディスク、ＣＤ−ＲＯＭ、メモリカード、ハードディスク等の記録媒体をいう。ＣＤ−ＲＯＭやメモリ等のような形態で記録を行うものだけでなく、通信回線、搬送波等のように、その状態を変化させながら記録内容を伝達するようなものも含む概念である。実施形態においては、ＣＤがこれに該当する。
【００２３】
ここで、請求項の各構成要素と実施例の構成要素との対応関係を示す。記録部はＤＳＰ２１、ΑＴＲΑＣ処理部２３、ＤＲΑＭ２５、ＤＲΑＭコントロール２７、メカ部２９に、フェード処理開始判定手段はＭＤマイコン３１に、レベル制御手段はＭＤマイコン３１に、、記録可能残時間取得手段はＭＤマイコン３１に、、ピーク情報取得手段はＭＤマイコン３１に、記録レベル制御手段はＭＤマイコン３１に、それぞれ対応する。
【００２４】
また、再生部は、ＤＳＰ２１、ΑＴＲΑＣ処理部２３、ＤＲΑＭ２５、ＤＲΑＭコントロール２７、メカ部２９に、開始マーク記録手段はＭＤマイコン３１に、それぞれ対応する。
【００２５】
【発明の実施の形態】
［第１の実施形態］
１．全体構成
本発明にかかるデジタル記録装置の第１の実施形態における機能ブロック図を図１に示す。デジタル記録装置１は、記録部３、フェード処理開始判定手段５、レベル制御手段７、記録可能残時間取得手段９、ピーク情報取得手段１１、記録レベル取得手段１３を有している。
【００２６】
記録部３は、与えられた入力信号をデジタル信号として記録媒体１５に記録する。フェード処理開始判定手段５は、記録可能残時間取得手段９によって取得された記録媒体の残時間が、予め設定されたフェードアウト設定時間になったか否かを判断し、残時間がフェードアウト設定時間になると、レベル制御手段７によるレベル制御を開始させる。
【００２７】
レベル制御手段７は、フェード処理開始判定手段５の判定に基づいて、記録部３による記録媒体１５への記録レベルを徐々に変化させる制御を開始し、フェード処理終了時に記録レベルが実質的に０または目標記録レベルとなるように制御して、フェード処理開始時の録音レベルの大小にかかわらずフェード処理時間が実質的に等しくなるように制御する。記録可能残時間取得手段９は、記録媒体１５に記録可能な残時間を取得する。
【００２８】
ピーク情報取得手段１１は、記録元記録媒体１７に記録された入力信号のピーク情報を取得する。記録レベル取得手段１３は、それに基づいて記録部３における記録レベルを設定する。
【００２９】
これにより、記録媒体１５の記録可能残時間が０となるときにフェードアウト処理を終了させることができる。したがって、記録媒体１５の記録容量を無駄なく利用することができる。
【００３０】
２．ハードウェア構成
デジタル記録装置１の一実施形態としてマイクロコンピュータを用いて実現したＭＤレコーダー２０を図２に示す。ＭＤレコーダー２０は、ＤＳＰ２１、ΑＴＲΑＣ処理部２３、ＤＲΑＭ２５、ＤＲΑＭコントロール２７、メカ部２９、ＭＤマイコン３１およびメモリ３３を有している。
【００３１】
ＤＳＰ２１は、外部からの入力信号に対してデジタルボリューム処理等のデジタルサウンド処理を施す。ΑＴＲΑＣ処理部２３は、ＤＳＰ２１から受け取ったデジタル信号に対してΑＴＲΑＣ（Ａｄａｐｔｉｖｅ  ＴＲａｎｓｆｏｒｍ  Ａｃｏｕｓｔｉｃ  Ｃｏｄｉｎｇ）処理（圧縮伸張処理）を施す。
【００３２】
ＤＲΑＭ２５は、ΑＴＲΑＣ処理部２３によってΑＴＲΑＣ処理が行われたデジタル信号を受け取り、一時的に保有する。ＤＲΑＭコントロール２７は、ＤＲΑＭ２５に保有されているデジタル信号をメカ部２９へ送出するタイミングをコントロールする。メカ部２９は、半導体レーザー等を含む光学系、磁気ヘッド等含む磁気系等を有しており、ＤＲΑＭ２５から受け取ったデジタル信号をＭＤ３５へ記録する。
【００３３】
ＭＤマイクロコンピューター３１（以下、ＭＤマイコン３１とする）は、各部の動作を制御する。なお、ＭＤマイコン３１の動作手順を示すプログラムは、メモリ３３に記録されている。このプログラムに基づいてＭＤマイコン３１は、各部を制御し、ＭＤ３５への記録を行う。
【００３４】
３．ＭＤマイコン
３−１．  フローチャート
メモリ３３に記録されたプログラムのフローチャートを図３に示す。まず、ＭＤマイコン３１は、ＣＤ３７からＣＤ楽曲を録音する際の録音レベルであるピーク情報を取得する（Ｓ３０１）。この取得したピーク情報は、メモリ３３の所定の位置に一時記憶される。なお、ピーク情報は、予めＣＤ３７に記録されているものである。
【００３５】
次に、取得したピーク情報に基づいて、ＣＤ３７の楽曲をＭＤ３５に記録する際の録音レベルを算出する（Ｓ３０３）。そして、ＭＤマイコン３１は、この算出した録音レベルに基づいて、ＭＤ３５への録音を制御する（Ｓ３０５）。
【００３６】
録音の制御は次のようにして行われる。ＭＤマイコン３１は、算出した録音レベルをＤＳＰ２１へ送出する。録音レベルを獲得したＤＳＰ２１は、ＣＤ３７からのデジタル入力信号に対してデジタルボリューム処理を施す。すなわち、録音レベルに応じて、デジタル入力信号の振幅値を大きく、もしくは小さくする処理を施す。そして、デジタルボリューム処理を施した入力信号をΑＴＲΑＣ処理部に送出する。ΑＴＲΑＣ処理部は、入力信号に対してΑＴＲΑＣ処理を施し、順次、ＤＲΑＭ２５へ送出する。
【００３７】
ＭＤマイコン３１は、ＤＲΑＭコントローラ２７を制御し、ＤＲΑＭ２５に蓄積されているΑＴＲΑＣ処理された入力信号を、所定のタイミングでメカ部２９に送出する。メカ部２９は、入力信号に対するＭＤ３５への物理的記録を行う。このようにして、ＭＤマイコン３１は録音の制御を行う。
【００３８】
ＭＤ３５には、記録可能な残り時間の情報が記録されている。ＭＤマイコン３１は、ＭＤ３５へ録音の際に、常時、この記録可能な残り時間（記録可能残時間）をＭＤ３５から取得している（Ｓ３０７）。そして、ＭＤ３５の記録可能残時間がどのくらいになったらフェードアウト処理を開始するかを示す時間（フェードアウト処理開始時間）と記録可能残時間とを比較する（Ｓ３０９）。なお、このフェードアウト処理開始時間は予めメモリ３３の所定の場所に記憶されている。
【００３９】
記録可能残時間とフェードアウト処理開始時間とが一致すれば、フェードアウト処理に必要なパラメータの算出を行う（Ｓ３１１）。なお、フェードアウト処理およびその際に必要なパラメータの算出については、次のセクションにおいて詳述する。
【００４０】
そして、算出したパラメータに基づいて、フェードアウト処理を施すべく、各部を制御する（Ｓ３１３）。ＭＤマイコン３１は、算出したパラメータに基づいて、だんだんとボリュームを絞っていくフェードアウト処理を入力信号に対して施すようにＤＳＰ２１を制御する。このフェードアウト処理が施された入力信号が、ＭＤ３５に記録される。なお、記録の際の各部の動作は、前述のものと同様である。
【００４１】
３−２．  フェードアウト処理
次に、ＭＤマイコン３１が制御するフェードアウト処理について説明する。本実施例におけるフェード処理曲線である録音ボリュームカーブＶＣ１を図４に示す。図４において、横軸はフェードアウト処理に要する時間を、縦軸はフェードアウト処理が開始される際の録音レベル（ゲイン）を示している。図４に示すように本実施例における録音ボリュームカーブＶＣ１は、右下がりの直線となる。また、いずれの録音ボリュームカーブＶＣ１においても、横軸との切片はｔ０である。なお、録音ボリュームカーブＶＣ１（Ｘ）は、録音開始レベルがＸの録音ボリュームカーブを示している。
【００４２】
本実施例においては、フェードアウト処理開始時からフェードアウト処理終了時までのフェード時間を複数のステップに分割し、各ステップにおいて所定値のレベル変化を行うものであって、フェードアウト処理開始時の録音レベルの大小に応じて、各ステップの時間長を変化させることによってフェードアウト処理時間を実質的に一定に保っている。
【００４３】
なお、直線は数式化しやすいので、録音ボリュームカーブを実現するためプログラムが単純となる。したがって、当該録音ボリュームカーブを実現するためのプログラム処理が容易になる。
【００４４】
今、フェードアウト処理を開始する際の録音レベルが５０デシベルであるとする。また、フェードアウト処理に要するフェード時間ｔ０＝１０秒であるとする。また、所定値のレベル変化を１デシベルとする。この場合、フェードアウト処理開始時からフェードアウト処理終了時までのフェード時間は、５０／１＝５０［ステップ］に分割されることになる。そして、各ステップの時間長（１ステップ時間）を算出する。ここでは、１ステップ時間＝１０／５０＝０．２［秒／ステップ］となる。
【００４５】
また、フェードアウト処理開始時の録音レベルが４０デシベルであれば、フェード時間は４０／１＝４０［ステップ］に分割される。この時の１ステップ時間＝１０／４０＝０．２５［秒／ステップ］となる。
【００４６】
図４における録音ボリュームカーブＶＣ１の一部（図４中の円Ｃ１内）の詳細図を図５に示す。図５に示すように、録音ボリュームカーブＶＣ１は、詳細には階段状の外形を有している。
【００４７】
また、所定値のレベル変化をｄデシベルとすると、各録音ボリュームカーブＶＣ１（５０）、ＶＣ１（４５）、ＶＣ１（４０）の１ステップ時間は、それぞれ、ｔ１、ｔ２、ｔ３となる。図から明らかなように、ｔ１＜ｔ２＜ｔ３となる。このように、フェードアウト処理開始の際の録音レベルが大きくなれば、１ステップ時間が小さくなる。
【００４８】
すなわち、この実施形態では、フェードアウト処理開始時の記録レベルにかかわらずレベル変化値を一定とし、フェードアウト処理開始時の録音レベルに応じてステップの時間を変化させることによって、図４に示すように、フェードアウト処理開始時の録音レベルにかかわらず、フェード時間を一定とするようにしている。
【００４９】
このように制御することにより、ＤＳＰ２１の録音レベル調整における最小レベル変化値が大きい場合（つまり録音レベル調整の精度が低い場合）であっても、所望の録音ボリュームカーブを得ることができる。つまり、図７に示すように、録音ボリュームカーブの傾きが急な場合α、傾きが緩やかな場合βのいずれにおいても、ＤＳＰ２１の最小レベル変化値（もしくは、ＤＳＰ２１の制御できるレベル変化値）ｄを用い、そのステップ時間ｔ１をｔ２より長くすることによって、所望の録音ボリュームカーブを得ている。図７から明らかなように、傾きが変わっても、適切な録音ボリュームカーブが得られている。
【００５０】
同様の状況において、録音ボリュームカーブの傾きが急な場合α、傾きが緩やかな場合βのいずれにおいても、ステップ時間ｔを一定とした場合を、図６に示す。図から明らかなように、ボリュームカーブβに対しては、適切な制御が行われているが、ボリュームカーブαに対しては、部分γにおいて、レベル変化値が２ｄになっており、急激なレベル変化があって、聴感上好ましくないこととなる。
【００５１】
以上のように、ＤＳＰ２１の録音レベル調整における最小レベル変化値が大きい場合（録音レベル調整の精度が低い場合）には、ステップ時間ｔを調整して、所望の録音ボリュームカーブを得ることが好ましい。
【００５２】
なお、反対に、ＤＰ２１の録音レベル調整における最小レベル変化値が小さく設定でき（録音レベル調整の精度が高い場合）、ステップ時間ｔの調整の精度が低い場合には、レベル変化値ｄを調整して、所望の録音ボリュームカーブを得ることが好ましい。
【００５３】
また、レベル変化値ｄ、ステップ時間ｔの双方を調整して、所望の録音ボリュームカーブを得るようにしてもよい。
【００５４】
［第２の実施形態］
本発明にかかるデジタル記録装置の第２の実施形態における機能ブロック図を図８に示す。デジタル記録装置６０は、第１の実施形態におけるフェード処理開始判定手段５に代わって、その動作を異にするフェード処理開始判定手段６５を有している。記録可能残時間取得手段９に代わって、指示取得手段６３を有している。
【００５５】
指示取得手段６３は、ユーザーからの指示を取得する。また、フェード処理開始判定手段６５は、指示取得手段６３がユーザーからのフェードアウト開始指示を取得すると、レベル制御手段７によるレベル制御を開始させる。
【００５６】
これにより、ユーザーは入力信号の所望の場所からフェードアウト処理を開始させることができる。
【００５７】
デジタル記録装置６０のハードウェア構成は第１の実施形態におけるハードウェア構成（図２参照）とほぼ同様である。ただし、ユーザーの指示を受け付けるスイッチが用意されている。このスイッチはＭＤマイコン３１と接続されている。
【００５８】
図９に、本実施例におけるＭＤマイコン３１の動作を表すフローチャートを示す。ＭＤマイコン３１の動作は図３に示すフローチャートとほぼ同様である。ただし、録音を制御し始めてから、フェードアウト処理を行うまでの処理が相違する。ＭＤマイコン３１は、スイッチからの信号を信号を受け取ると（Ｓ７０１）、その信号がフェードアウト開始信号であるか否かを判断する（Ｓ７０３）。フェードアウト開始信号であれば、パラメータ算出の処理を行う。その他の動作およびフェードアウト処理については、第１の実施形態と同様である。
【００５９】
［その他の実施形態（１）］
第１の実施形態および第２の実施形態においては、ＭＤマイコン３１が制御する処理としてフェードアウト処理を示したが、これに限定されない。例えば、フェードイン処理であってもよい。フェードイン処理においても、フェードイン曲線は、図４に示すような直線とする。ただし、直線の形状は右上がりとなる。また、全てのフェードイン曲線は原点を通り、所定の時間経過後に算出した録音レベルとなる。
【００６０】
また、前述の第１の実施形態においては、ＭＤ３５の記憶可能領域が残り少なくなるとフェードアウト処理を開始するようにしているがこれに限定されない。例えば、楽曲の終わり近くになるとフェードアウト処理を施すようにしてもよい。この場合、ＭＤレコーダー２０は、例えば、楽曲の時間をＣＤプレイヤー３９から取得し、これまでの録音時間を記憶しておくことによって、楽曲の残りの録音時間を知ることができる。ＭＤマイコン３１は、この残りの録音時間が第１の実施形態におけるフェードアウト処理時間と一致するか否かを判断し、一致すれば、フェードアウト処理を行いながら楽曲をＭＤ３５に記録するようにしてもよい。
【００６１】
さらに、前述の第１の実施形態および第２の実施形態においては、フェードアウト処理開始時からフェードアウト処理終了時までのフェード時間を複数のステップに分割し、各ステップにおいて所定値のレベル変化を行うものであって、フェードアウト処理開始時の録音レベルの大小に応じて、各ステップの時間長を変化させることによってフェード処理時間を実質的に一定に保っている。しかし、フェード時間を複数のステップに分割し、各ステップにおいてレベル変化を行うものであって、フェード処理開始時のレベルの大小に応じて、各ステップのレベル変化値を変化させることによってフェード処理時間を実質的に一定に保つようにしてもよい。
【００６２】
ここでは、フェード時間をＸステップに分割するとすると、レベル変化値は（フェードアウト開始時の録音レベル／Ｘステップ）として求めることができる。今、フェード時間を５０ステップに分割するとする。フェードアウト処理開始時の録音レベルが５０デシベルであったとすると、レベル変化値＝５０／５０＝１［デシベル／ステップ］となる。一方、フェードアウト処理開始時の録音レベルが４０デシベルであったとすると、レベル変化値＝４０／５０＝０．８［デシベル／ステップ］となる。なお、いずれの場合でも、１ステップの時間長＝１０／５０＝０．２［秒／ステップ］となる。
【００６３】
このように、１ステップの時間長を一定とすることによって、タイマー設定を変更することなくフェードアウト処理を行うことができるので、ＭＤマイコン３１に対する負担を少なくすることができる。したがって、より簡単にフェードアウト処理を行うことができる。
【００６４】
［第３の実施形態］
１．機能ブロック図
本発明にかかるデジタル記録装置の第３の実施形態における機能ブロック図を図１０に示す。デジタル記録再生装置８０は、記録部８１、開始マーク記録制御手段８３、再生部８５、フェード処理開始判定手段８７およびレベル制御手段８９を有している。
【００６５】
記録部８１は、与えられた入力信号をデジタル信号として記録媒体１５に記録する。開始マーク記録制御手段８３は、所定のタイミングにて再生時におけるフェード処理の開始位置を示す開始マークを記録媒体１５に記録するよう制御する。再生部８５は、記録媒体１５に記録された信号を再生して出力する。
【００６６】
フェード処理開始判定手段８７は、記録媒体１５に記録された開始マークを取得して、フェード処理を開始する。レベル制御手段８９は、フェード処理開始判定手段８７の判定に基づいて、再生部による記録媒体１５からの再生レベルを徐々に変化させる制御を開始する。
【００６７】
これにより、入力信号にフェード処理を施しながら、その入力信号を記録媒体１５に記録せずとも、記録媒体の再生時にフェード処理が施された信号を再生することができる。
【００６８】
２．ハードウェア構成
本実施例にかかるデジタル記録再生装置をマイクロコンピュータを用いて実現したものは、図２に示すＭＤレコーダー２０と同様である。なお、ここでは、ＣＤプレイヤー３９から送られてくるＣＤ３７の楽曲データを入力信号としている。
【００６９】
３．ＭＤマイコン
３−１．  再生時のフローチャート
次にＭＤマイコン３１における録音時の処理の流れを図１１に示すフローチャートを参照しながら説明する。ＭＤマイコン３１は、ＣＤプレイヤー３９からＣＤ３７の楽曲データを受け取ると（Ｓ１００１）、ＭＤ３５への録音を制御する（Ｓ１００３）。録音の制御に関しては第１の実施形態と同様である。
【００７０】
ＭＤマイコン３１は、ＭＤ３５へ録音の際に、常時、記録可能な残り時間（記録可能残時間）をＭＤ３５から取得している（Ｓ１００３）。そして、ＭＤ３５の記録可能残時間がどのくらいになったらフェードアウト処理を開始するかを示す時間（フェードアウト処理開始時間）と記録可能残時間とを比較する（Ｓ１００５）。なお、このフェードアウト処理開始時間は予めメモリ３３の所定の場所に記憶されている。
【００７１】
記録可能残時間とフェードアウト処理開始時間とが一致すれば、再生時におけるフェード処理の開始位置を示す開始マークを記録するようにΑＴＲΑＣ処理部へ２３を制御する（Ｓ１００７）。例えば、図１２に示すように、いずれの場所からフェードアウト処理を開始するのかを示す情報をＵ−ＴＯＣ領域に記録する。
【００７２】
３−２．  再生時のフローチャート
次にＭＤマイコン３１における再生時の処理の流れを図１３に示すフローチャートを参照しながら説明する。ＭＤマイコン３１は、ＭＤ３５のＵ−ＴＯＣ情報を取得する（Ｓ１２０１）。そして、Ｕ−ＴＯＣ情報内に開始マークが記録されているか否かを判断する（Ｓ１２０３）。
【００７３】
開始マークが記録されていれば、その時間をメモリ３３の所定の場所に一時記憶する（Ｓ１２０５）。そして、ＭＤ３５の楽曲データを受け取り（Ｓ１２０７）、楽曲データの再生を制御する（Ｓ１２０９）。開始マークが記録されていなければ、即座に楽曲データを受け取る（Ｓ１２０７）。
【００７４】
ＭＤマイコン３１は、再生の際に、常時、再生時間を算出し、メモリ３３に一時記憶している（Ｓ１２１１）。そして、開始マークとして記録されているフェードアウトを開始する時間と再生時間とを比較する（Ｓ１２１３）。
【００７５】
開始マークの時間と再生時間とが一致すれば、フェードアウト処理を実行するように各部を制御する（Ｓ１２１５）。この時、ΑＴＲΑＣ処理部２３においてΑＴＲΑＣ処理されているＭＤの楽曲データを伸張した後に、ＤＳＰ２１でデジタルボリューム処理を施しながら、ＭＤの楽曲データを再生する。
【００７６】
これによって、フェードアウト処理を施した楽曲データを記録したＭＤ３５を再生する場合と同様に、フェードアウト処理を処理を施した楽曲データを再生することができる。
【００７７】
［その他の実施形態］
前述の第３の実施形態においては、ＣＤからの入力信号に対して録音レベルの調整をすることなく記録するようにした。しかし、第１の実施形態と同様に、ＣＤからピーク情報を取得し、録音レベルを調整して記録するようにしてもよい。
【００７８】
また、前述の第３の実施形態においては、開始マークをＭＤのＵ−ＴＯＣ領域に記録するようにした。しかし、開始マークを記録できるところであればこれに限定されない。例えば、楽曲データの間に開始マークを紛れ込ませ、楽曲データを記録する領域に記録するようにしてもよい。
【００７９】
さらに、前述の第３の実施形態においては、ＭＤに入力信号を記録する記録ユニットとＭＤの楽曲データを再生する再生ユニットとで、デジタル記録再生装置を構成したが、それぞれを別々の装置として構成するようにしてもよい。
【００８０】
さらに、フェードアウト処理を開始する時間を、記録媒体の最初からの記録時間とし、その時間を開始マークとして記録媒体に記録するようにした。しかし、フェードアウト処理を開始する場所が特定できるのであればこれに限定されない。例えば、フェードアウト処理を開始するときの楽曲の曲番号と再生時間等を開始マークとして記録するようにしてもよい。また、フェードアウト開始する時の楽曲データ記録されているＭＤ上のアドレスを開始マークとして記録するようにしてもよい。
【図面の簡単な説明】
【図１】本発明にかかるデジタル記録再生装置の第１の実施形態の機能ブロック図を示す図である。
【図２】図１のデジタル記録再生装置の一実施形態であるＭＤレコーダーのハードウェア構成を示す図である。
【図３】ＭＤマイコン３１の動作を示すフローチャートの一例である。
【図４】ＭＤマイコン３１で行うフェードアウト処理の録音ボリュームカーブ示した図である。
【図５】図４の円Ｃ一部を拡大した図である。
【図６】ステップ時間ｔを一定とした場合の録音ボリュームカーブを説明するための図である。
【図７】本実施例における録音ボリュームカーブを説明するための図である。
【図８】本発明にかかるデジタル記録再生装置の第２の実施形態の機能ブロック図を示す図である。
【図９】ＭＤマイコン３１の動作を示すフローチャートの一例である。
【図１０】本発明にかかるデジタル記録再生装置の第３の実施形態の機能ブロック図を示す図である。
【図１１】ＭＤマイコン３１の録音動作を示すフローチャートの一例である。
【図１２】Ｕ−ＴＯＣ領域に記録した開始マークの一例である。
【図１３】ＭＤマイコン３１の再生動作を示すフローチャートの一例である。
【図１４】従来の録音ボリュームカーブを示した図である。
【符号の説明】
１・・・・・デジタル記録装置
３・・・・・記録部
５・・・・・フェード処理開始判定手段
７・・・・・レベル制御手段
９・・・・・記録可能残時間取得手段
１１・・・・・ピーク情報取得手段
１３・・・・・記録レベル設定手段
１５・・・・・記録媒体
【図１】
0003601054.tif 000002
【図２】
0003601054.tif 000003
【図３】
0003601054.tif 000004
【図４】
0003601054.tif 000005
【図５】
0003601054.tif 000006
【図６】
0003601054.tif 000007
【図７】
0003601054.tif 000008
【図８】
0003601054.tif 000009
【図９】
0003601054.tif 000010
【図１０】
0003601054.tif 000011
【図１１】
0003601054.tif 000012
【図１２】
0003601054.tif 000013
【図１３】
0003601054.tif 000014
【図１４】
0003601054.tif 000015